(57)【特許請求の範囲】
【請求項１】
折曲可能で且つ湾曲すると共に半透明な楕円の断面形状を有した細いチューブ本体（１）を下顎の歯茎内側に湾曲させて取付けるものであって、前記チューブ本体（１）の閉鎖した両端面（11）には、該両端面（11）の外周近くに流出口（12）を穿設し、前記チューブ本体（１）の両端側には、その端面（11）と密着し且つ楕円の断面形状を有した回転自在な蓋体（２）を設け、該蓋体（２）には前記チューブ本体（１）と密着する側に切欠部（21）を形成すると共に前記流出口（12）を塞ぐ凸部（23）を設け、更に前記チューブ本体（１）に消臭液或いは液状薬剤などを内蔵したことを特徴とする口内装着用液体抽出チューブ。
【発明の詳細な説明】
【０００１】
【発明の属する技術分野】
本発明は消臭液或いは液状薬剤などが内蔵されたチューブを口中の下顎側の歯茎内側に合せて入れ、その液が少しずつ時間を掛けて流れ出ると共に使い捨て用として使用される口内装着用液体抽出チューブに関する。
【０００２】
【従来の技術】
従来、人に会う機会の多い人は、エチケットとして、特に口臭については気を使っている。この場合、人に会う前に、消臭液でうがいをしたり、粒状薬剤（一般に仁丹など）を口の中で砕いたり、或いはガムなどを噛んで口臭を防止しながら人に会うことが多くあった。
【０００３】
【発明が解決しようとする課題】
しかしながら、人に会う前に、消臭液でうがいをしたり、粒状薬剤（一般に仁丹など）を口の中で砕いたりする場合は、その効果が持続しないため、席を外して一定時間毎にそれらの処置を行わなければならず面倒であり、長時間に渡って人に会う場合には適した処置でなかった。又、ガムなどを噛む場合には、日本の慣習として目上の人や公式の場で人に会う時には失礼な行為となり、不適当な処置となっていた。
【０００４】
本発明は長時間に渡って簡単に且つ相手に気付かれずに口臭を防止することが出来ると共に長時間に渡って少しずつ時間を掛けて液状薬剤などを飲むことが可能となる口内装着用液体抽出チューブを提供することを目的とする。
【０００５】
【課題を解決するための手段】
本発明は上記欠点に鑑みて成されたものであり、つまり、折曲可能で且つ湾曲すると共に半透明な楕円の断面形状を有した細いチューブ本体を下顎の歯茎内側に湾曲させて取付けるものであって、チューブ本体の閉鎖した両端面には、該両端面の外周近くに流出口を穿設し、チューブ本体の両端側には、その端面と密着し且つ楕円の断面形状を有した回転自在な蓋体を設け、該蓋体にはチューブ本体と密着する側に切欠部を形成すると共に流出口を塞ぐ凸部を設け、更にチューブ本体に消臭液或いは液状薬剤などを内蔵した構造とする。
【０００６】
【発明の実施の形態】
図１は本発明の実施形態を示す図であり、これに基づいて説明する。（１）は下顎の歯茎内側の平均的な曲率に合せて湾曲した半透明で且つ折曲可能な細いチューブ本体であり、該チューブ本体（１）の両端面（11）は閉鎖され且つその端面（11）には外周近くに流出口（12）が穿設され、又、両端面（11）の中央には係止用突起（13）が突出している。尚、前記チューブ本体（１）の材質としては若干弾力性を有した合成樹脂製の材料を用い、且つその断面形状として楕円形状のものを用いると良いが、円形状などの他の形状でも良い。また前記チューブ本体（１）内部には消臭液或いは液状薬剤などを内蔵させ、前記消臭液としては市販の口臭用スプレー式の薬液を用いるのが好ましいが、飲用可能な薬液であれば他の消臭液でも良い。（２）はチューブ本体（１）の両端面（11）と密着し回転自在に設けた蓋体であり、該蓋体（２）にはチューブ本体（１）と密着する側に切欠部（21）を形成させると共に蓋体（２）の中心には係止用突起（13）を挿入するための係止用穴（22）が穿設され、且つ流出口（12）を塞ぐ凸部（23）が設けられている。又、蓋体（２）の断面形状はチューブ本体（１）と同一な楕円が好ましい。尚、凸部（23）は蓋体（２）をチューブ本体（１）に密着させて流出口（12）が塞がれば不要である。
【０００７】
次に本発明の作用を図２に基づいて説明する。予め消臭液が内蔵されたチューブ本体（１）を用意し、且つその両端面（11）には蓋体（２）を密着させると共に流出口（12）は蓋体（２）によって塞がれている［図２（ａ）参照］。先ず始めに本発明品を手に取り、チューブ本体（１）の両端の蓋体（２）を１８０度ずつ回転させて、切欠部（21）が流出口（12）位置に来るようにする［図２（ｂ）参照］。そして切欠部（21）が下になるようにチューブ本体（１）を下顎の歯茎内周に本発明品を装着させる。又、チューブ本体（１）の形状を多少変形させて歯茎内周へ密着するように微調節して合せ、それを舌の下に収めれば良い（図３参照）。
【０００８】
すると、消臭液が流出口（12）から滲み出るため、口内部に消臭液が抽出されるのである。この結果、口臭は長時間に渡って防止することが出来るのである。尚、前記チューブ本体（１）の形状としては高さ６mmで幅３〜４mmの楕円で、長さ５０mm前後にすると共に流出口（12）の大きさを約0.5mmにすると、約１日用として充分なものであった。この時、流出口（12）の大きさは薬液の粘度などに応じて決定される。又、チューブ本体（１）内部には、胃薬や喉の薬液などを入れると、徐々に効果が長時間に渡って維持できるものとなり、且つハッカやニッキ或いはハーブ液などの嗜好品を入れたものとしても良い。
【０００９】
【発明の効果】
本発明はこのように構成させたことにより、下記に記載する効果を有する。
【００１０】
請求項１のように湾曲させたチューブ本体（１）の両端面（11）に流出口（12）を穿設し、チューブ本体（１）の両端側に回転自在な蓋体（２）を設け、該蓋体（２）に切欠部（21）を形成し、チューブ本体（１）に消臭液や液状薬剤などを内蔵することにより、蓋体（２）を１８０度回転するだけの簡単な作業と共にそれを口の中に入れるだけの作業で、その液が少しずつ時間を掛けて流れ出るものとなる。この薬剤として消臭液が内蔵されたものを用いれば、長時間に渡って人に会っていても従来の如き消臭液でうがいを何回もする必要がなく且つ粒状薬剤を何回も口の中に入れてそれを砕いたりする必要がなくなり、本発明品を口中に1回取付けるだけで口臭が長時間に渡って防止することが出来る。又、人に会う前に取付けるため、相手に本発明品が口中に取付けられていることが気付かれる心配はなくなり、従来のガムを噛む場合の時のような目立つことがなく且つ人前に出ても安心なものとなる。一方、前記薬剤として1日に何回も服用する場合や慢性の症状に対して短時間毎に服用するような場合には、本発明品を口中に1回取付けておけば、長時間に渡って少しずつ時間を掛けて液状の前記薬剤を飲むことが可能となるため、服用を忘れることなく、且つ何回も服用する必要がなくなるため、旅行などの際に非常に便利なものとなる。更に本発明は構造が極めて簡単であるため、使い捨てにすることにより、携帯に便利なものとなるのである。特にチューブ本体（１）として、折曲可能で且つ半透明な楕円の断面形状を有したものを用いることにより、本発明品を下顎の歯茎内周に装着させる際、チューブ本体（１）の形状を変形して歯茎内周に合せるように押え付けるだけで、簡単に歯茎内周へ安定して取付け出来るものとなると共に内蔵された消臭液或いは液状薬剤などの残りが目で確認出来るものとなる。またチューブ本体（１）及び蓋体（２）の断面形状を楕円にすることにより、それを立てた方向に取付けると、本発明品が歯茎に安定して取付けられると共に舌の下に収められてずれずに且つ異物感が余りない状態で取付けることが可能となるのである。更に蓋体（２）に流出口（12）を塞ぐ凸部（23）を設けることにより、チューブ本体（１）内の消臭液或いは液状薬剤などの漏れが確実に防止出来るものとなると共に凸部（23）が流出口（12）に来ると回転感触が変わるので、凸部（23）が流出口（12）に完全に入ったか否かの判断が容易に出来るものとなる。
【図面の簡単な説明】
【図１】  本発明の実施形態を示す斜視図である。
【図２】  本発明の作用を示す説明図である。
【図３】  本発明の使用状態を示す説明図である。
【符号の説明】
１  チューブ本体
11  端面
12  流出口
２  蓋体
21  切欠部
23  凸部
【図１】
0003723442.tif 000002
【図２】
0003723442.tif 000003
【図３】
0003723442.tif 000004